(57)【要約】【課題】ＩＴＵ−Ｔ勧告Ｔ．３８に準拠した通信を適切に行えるようにしたゲートウェイ装置およびネットワーク端末装置を提供することを目的としている。【解決手段】アナログ公衆網とＩＰ網の双方に接続され、ＩＴＵ−Ｔ勧告Ｔ．３８に準拠したゲートウェイ機能を備えたゲートウェイ装置において、Ｔ．３０ファクシミリ信号のうち、非標準信号は、透過させずに阻止するようにした。【選択図】        図２
2005094620.tif 000002
【特許請求の範囲】
【請求項１】
アナログ公衆網とＩＰ網の双方に接続され、ＩＴＵ−Ｔ勧告Ｔ．３８に準拠したゲートウェイ機能を備えたゲートウェイ装置において、
Ｔ．３０ファクシミリ信号のうち、非標準信号は、透過させずに阻止するようにしたことを特徴とするゲートウェイ装置。
【請求項２】
アナログ公衆網とＩＰ網の双方に接続され、ＩＴＵ−Ｔ勧告Ｔ．３８に準拠したゲートウェイ機能を備えたゲートウェイ装置において、
一回の通信接続において、最初に受信したＴ．３０ファクシミリ非標準信号は、透過させずに阻止するようにしたことを特徴とするゲートウェイ装置。
【請求項３】
アナログ公衆網とＩＰ網の双方に接続され、ＩＴＵ−Ｔ勧告Ｔ．３８に準拠したゲートウェイ機能を備えたゲートウェイ装置において、
Ｔ．３０ファクシミリ非標準信号を透過させるメーカーのメーカーコードを登録するメーカーコード登録手段を備え、
一回の通信接続において、受信したＴ．３０ファクシミリ非標準信号に含まれるメーカーコードが、上記メーカーコード登録手段に登録されている場合には、当該受信したＴ．３０ファクシミリ非標準信号を透過させて対地端末へと送出する一方、
受信したＴ．３０ファクシミリ非標準信号に含まれるメーカーコードが、上記メーカーコード登録手段に登録されていない場合には、当該受信したＴ．３０ファクシミリ非標準信号を、透過させずに阻止するようにしたことを特徴とするゲートウェイ装置。
【請求項４】
ＩＰ網に接続され、ＩＴＵ−Ｔ勧告Ｔ．３８に準拠した端末機能を備えたネットワーク端末装置において、
Ｔ．３０ファクシミリ非標準信号を透過させるマニュファクチャーコードおよびプロダクトコードを登録するマニュファクチャーコード登録手段を備え、
呼接続時、受信した呼制御信号に含まれるマニュファクチャーコードおよびプロダクトコードが、上記マニュファクチャーコード登録手段に登録されている場合には、Ｔ．３０ファクシミリ非標準信号をも用いて通信動作を行う一方、上記呼制御信号に含まれるマニュファクチャーコードおよびプロダクトコードが、上記マニュファクチャーコード登録手段に登録されていない場合には、当該通信接続においては、Ｔ．３０ファクシミリ非標準信号を用いない通信動作を行うようにしたことを特徴とするネットワーク端末装置。
【発明の詳細な説明】
【技術分野】
【０００１】
本発明は、アナログ公衆網とＩＰ網の双方に接続され、ＩＴＵ−Ｔ勧告Ｔ．３８に準拠したゲートウェイ機能を備えたゲートウェイ装置、および、ＩＰ網に接続され、ＩＴＵ−Ｔ勧告Ｔ．３８に準拠した端末機能を備えたネットワーク端末装置に関する。
【背景技術】
【０００２】
近年、インターネット等のＩＰ網を中継網としてファクシミリ通信を行えるようにするために、ＩＴＵ−Ｔ勧告Ｔ．３８に準拠した通信機器が実用されている（特許文献１参照）。
【０００３】
例えば、標準Ｔ．３８に準拠した通信機能を備えたゲートウェイ装置は、アナログ公衆網とＩＰ網の双方に接続され、送信側のグループ３ファクシミリ装置と、受信側のグループ３ファクシミリ装置のそれぞれについて、ゲートウェイ機能を提供する。
【０００４】
このようなゲートウェイ装置を利用した通信システムでは、例えば、送信側のグループ３ファクシミリ装置は、アナログ公衆網を介して第１のゲートウェイ装置へ発呼するとともに、宛先の受信側のグループ３ファクシミリ装置のファクシミリ番号を通知し、それにより、当該第１のゲートウェイ装置は、ＩＰ網を介して、宛先の電話番号に対応した第２のゲートウェイ装置へ接続要求し、宛先のファクシミリ番号を通知し、この第２のゲートウェイ装置は、指定されたファクシミリ番号の受信側のグループ３ファクシミリ装置へ発呼する。
【０００５】
これにより、送信側のグループ３ファクシミリ装置は、アナログ公衆網、第１のゲートウェイ装置、ＩＰ網、第２のゲートウェイ装置、および、アナログ公衆網を介して、受信側のグループ３ファクシミリ装置との間で通信パスが形成され、当該通信パスを用いて、送信側のグループ３ファクシミリ装置と受信側のグループ３ファクシミリ装置との間で、所定のファクシミリ通信動作が行われる。
【０００６】
このような通信システムでは、送信側のグループ３ファクシミリ装置と受信側のグループ３ファクシミリ装置との距離が長い場合、ＩＰ網を中継できるので、通信料金を低減できるという効果がある。
【０００７】
また、近年のように、ＶｏＩＰ（Ｖｏｉｃｅ  ｏｖｅｒ  ＩＰ）通信が広まっている場合、当該ＶｏＩＰ通信に利用しているＩＰ網をそのまま利用して、ファクシミリ通信を行うことができるので、よりコスト的に有利となる。
【特許文献１】特開２００１−２９２２６７号公報
【発明の開示】
【発明が解決しようとする課題】
【０００８】
さて、上述したような通信システムにおいて、送信側のグループ３ファクシミリ装置と受信側のグループ３ファクシミリ装置とが同一メーカーの場合、この場合には、通常、メーカー独自の機能を利用して、より効率よくファクシミリ通信を行うように制御される。いわゆる、メーカー独自モード（「非標準モード」ともいわれる）の通信が行われる。
【０００９】
すなわち、グループ３ファクシミリ通信手順を規定しているＩＴＵ−Ｔ勧告Ｔ．３０が標準的に提供している通信機能よりも、メーカー独自のオプション機能を利用した場合の方が、より通信時間を低減できたり、より高品質な画像を通信できるからである。
【００１０】
また、このようなオプション機能を利用する際のネゴシェーションに用いられる信号は、ファクシミリ伝送制御手順信号のうちオプション機能を設定する信号、例えば、信号ＮＳＦ，ＮＳＣ，ＮＳＳなどである。
【００１１】
一方、オプション機能を定義する信号の情報フィールドのマッピング内容は、メーカー独自のものであり、かつ、通常、他のメーカーには公開されることのない性格のものである。
【００１２】
このため、グループ３ファクシミリ装置が接続するゲートウェイ装置が、グループ３ファクシミリ装置と異なるメーカーの場合には、当該ゲートウェイ装置は、グループ３ファクシミリ装置がやりとりする信号ＮＳＦ，ＮＳＣ，ＮＳＳに含まれる情報フィールドの内容を解釈することができないので、例えば、送信側と受信側とで設定した通信速度を判定することができず、その結果、画情報のやりとりが行われる段階（グループ３ファクシミリ伝送手順のフェーズＣ）で、通信エラーが発生して、通信パスが切断されるとい事態を生じる。
【００１３】
本発明は、かかる実情に鑑みてなされたものであり、ＩＴＵ−Ｔ勧告Ｔ．３８に準拠した通信を適切に行えるようにしたゲートウェイ装置およびネットワーク端末装置を提供することを目的としている。
【課題を解決するための手段】
【００１４】
本発明は、アナログ公衆網とＩＰ網の双方に接続され、ＩＴＵ−Ｔ勧告Ｔ．３８に準拠したゲートウェイ機能を備えたゲートウェイ装置において、Ｔ．３０ファクシミリ信号のうち、非標準信号は、透過させずに阻止するようにしたものである。
【００１５】
また、アナログ公衆網とＩＰ網の双方に接続され、ＩＴＵ−Ｔ勧告Ｔ．３８に準拠したゲートウェイ機能を備えたゲートウェイ装置において、一回の通信接続において、最初に受信したＴ．３０ファクシミリ非標準信号は、透過させずに阻止するようにしたものである。
【００１６】
また、アナログ公衆網とＩＰ網の双方に接続され、ＩＴＵ−Ｔ勧告Ｔ．３８に準拠したゲートウェイ機能を備えたゲートウェイ装置において、Ｔ．３０ファクシミリ非標準信号を透過させるメーカーのメーカーコードを登録するメーカーコード登録手段を備え、一回の通信接続において、受信したＴ．３０ファクシミリ非標準信号に含まれるメーカーコードが、上記メーカーコード登録手段に登録されている場合には、当該受信したＴ．３０ファクシミリ非標準信号を透過させて対地端末へと送出する一方、受信したＴ．３０ファクシミリ非標準信号に含まれるメーカーコードが、上記メーカーコード登録手段に登録されていない場合には、当該受信したＴ．３０ファクシミリ非標準信号を、透過させずに阻止するようにしたものである。
【００１７】
また、ＩＰ網に接続され、ＩＴＵ−Ｔ勧告Ｔ．３８に準拠した端末機能を備えたネットワーク端末装置において、Ｔ．３０ファクシミリ非標準信号を透過させるマニュファクチャーコードおよびプロダクトコードを登録するマニュファクチャーコード登録手段を備え、接続時、受信した呼制御信号に含まれるマニュファクチャーコードおよびプロダクトコードが、上記マニュファクチャーコード登録手段に登録されている場合には、Ｔ．３０ファクシミリ非標準信号を用いて通信動作を行う一方、上記呼制御信号に含まれるマニュファクチャーコードおよびプロダクトコードが、上記マニュファクチャーコード登録手段に登録されていない場合には、当該通信接続においては、Ｔ．３０ファクシミリ非標準信号を用いない通信動作を行うようにしたものである。
【発明の効果】
【００１８】
したがって、あらかじめ登録されているメーカーコードやマニュファクチャーコード以外のメーカー製の端末から送出される非標準信号が阻止されるので、グループ３ファクシミリ伝送手順上では、それ以降、非標準信号のやりとりがされず、標準的なグループ３ファクシミリ伝送手順が行われ、その結果、適切にファクシミリ通信が可能になると言う効果を得る。
【発明を実施するための最良の形態】
【００１９】
以下、添付図面を参照しながら、本発明の実施の形態を詳細に説明する。
【００２０】
図１は、本発明の一実施例にかかるファクシミリ通信システムの一例を示している。
【００２１】
このファクシミリ通信システムは、アナログ公衆網ＰＳＴＮ１に接続されたグループ３ファクシミリ装置ＦＸ１、アナログ公衆網ＰＳＴＮ１およびＩＰ網ＮＴに接続され、ＩＴＵ−Ｔ勧告Ｔ．３８に準拠したゲートウェイ機能を備えたＴ３８ゲートウェイ装置ＧＷ１、アナログ公衆網ＰＳＴＮ２に接続されたグループ３ファクシミリ装置ＦＸ２、アナログ公衆網ＰＳＴＮ２およびＩＰ網ＮＴに接続され、ＩＴＵ−Ｔ勧告Ｔ．３８に準拠したゲートウェイ機能を備えたＴ３８ゲートウェイ装置ＧＷ２から構成されている。
【００２２】
ここで、グループ３ファクシミリ装置ＦＸ１とＴ３８ゲートウェイ装置ＧＷ１が同一地域内に設置されるとともに、グループ３ファクシミリ装置ＦＸ２とＴ３８ゲートウェイ装置ＧＷ２が同一地域内に設置され、それらの設置地域は、相互に遠隔地域である。
【００２３】
したがって、この場合、グループ３ファクシミリ装置ＦＸ１については、Ｔ３８ゲートウェイ装置ＧＷ１が勧告Ｔ．３８に準拠したリアルタイム型インターネットファクシミリ通信サービスを提供し、また、グループ３ファクシミリ装置ＦＸ２については、Ｔ３８ゲートウェイ装置ＧＷ２がリアルタイム型インターネットファクシミリ通信サービスを提供する。
【００２４】
図２は、Ｔ３８ゲートウェイ装置ＧＷ（ＧＷ１，ＧＷ２）の構成例を示している。
【００２５】
同図において、システム制御部１は、このＴ３８ゲートウェイ装置ＧＷの各部の制御処理、ファクシミリ伝送制御手順（ＩＴＵ−Ｔ勧告Ｔ．３０手順）処理、および、リアルタイム伝送制御手順（ＩＴＵ−Ｔ勧告Ｔ．３８手順）処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このＴ３８ゲートウェイ装置ＧＷに固有な各種の情報を記憶するためのものであり、時計回路４は、現在時刻情報を出力するものである。
【００２６】
操作表示部５は、このＴ３８ゲートウェイ装置ＧＷを操作するためのもので、各種の操作キー、および、各種の表示器からなる。符号化復号化部６は、画信号を符号化圧縮するとともに、符号化圧縮されている画情報を元の画信号に復号化するためのものであり、この場合には、画情報受信時のエラー検出を主目的として用いられる。また、画像蓄積装置７は、符号化圧縮された状態の画情報を多数記憶するためのものである。
【００２７】
グループ３ファクシミリモデム８は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２８】
網制御装置９は、このＴ３８ゲートウェイ装置ＧＷをアナログ公衆網ＰＳＴＮに接続するためのものであり、自動発着信機能を備えている。
【００２９】
ＩＰ網インターフェース回路１２は、このＴ３８ゲートウェイ装置ＧＷをＩＰ網ＮＴへ接続し、ＩＰ網ＮＴを介して種々のデータをやりとりするためのものであり、ＴＣＰ／ＩＰパケット解析部１３は、ＴＣＰモード時に、ＩＰ網インターフェース回路１２が受信したＴＣＰ／ＩＰパケットを解析して受信情報を取り出すためのものであり、ＵＤＰパケット解析部１４は、ＵＤＰモード時に、ＩＰ網インターフェース回路１２が受信したＵＤＰパケットを解析して受信情報を取り出すためのものである。
【００３０】
グループ３プロトコル情報生成部１５は、リアルタイム伝送手順において、ＴＣＰモード時はＴＣＰ／ＩＰパケット解析部１３から出力される受信情報を対応するグループ３伝送手順信号情報に変換するとともに、ＵＤＰモード時はＵＤＰパケット解析部１４から出力される受信情報を対応するグループ３伝送手順信号情報に変換するものである。
【００３１】
グループ３プロトコル情報取出部１６は、リアルタイム伝送手順において、送信するグループ３ファクシミリ伝送手順情報を取り出すためのものであり、ＴＣＰ／ＩＰパケット変換部１７は、ＴＣＰモード時、グループ３プロトコル情報取出部１６から出力されるグループ３ファクシミリ伝送手順情報をＴＣＰ／ＩＰパケットデータへ変換するためのものであり、その出力データは、ＩＰ網インターフェース回路１２へ加えられる。
【００３２】
また、ＵＤＰパケット変換部１８は、ＵＤＰモード時、グループ３プロトコル情報取出部１６から出力されるグループ３ファクシミリ伝送手順情報をＵＤＰパケットデータへ変換するためのものであり、その出力データは、ＩＰ網インターフェース回路１２へ加えられる。
【００３３】
また、Ｔ３８ＧＷ通信制御部１９は、このＴ３８ゲートウェイ装置ＧＷが行う勧告Ｔ．３８に準拠したゲートウェイ機能の通信処理を行うためのものである。
【００３４】
これらの、システム制御部１、システムメモリ２、パラメータメモリ３、時計回路４、操作表示部５、符号化復号化部６、画像蓄積装置７、グループ３ファクシミリモデム８、網制御装置９、グループ３プロトコル情報生成部１５、グループ３プロトコル情報取出部１６、および、Ｔ３８ＧＷ通信制御部１９は、内部バス２０に接続されており、これらの各要素間でのデータのやりとりは、主としてこの内部バス２０を介して行われている。
【００３５】
また、網制御装置９とグループ３ファクシミリモデム８との間のデータのやりとりは、直接行なわれている。
【００３６】
図３は、勧告Ｔ．３８の通信手順（リアルタイム伝送手順）の一例を示している。ここでは、グループ３ファクシミリ装置ＦＸ１がグループ３ファクシミリ装置ＦＸ２へ発呼して、画情報を送信する場合について示している。また、グループ３ファクシミリ装置ＦＸ１，ＦＸ２とＴ３８ゲートウェイ装置ＧＷ１，ＧＷ２の間でやりとりされる信号は、勧告Ｔ．３０に準拠したＴ３０ファクシミリ信号であり、Ｔ３８ゲートウェイ装置ＧＷ１，ＧＷ２の間でやりとりされる信号（パケット）は、勧告Ｔ．３８に準拠したＴ３８パケットである。
【００３７】
まず、グループ３ファクシミリ装置ＦＸ１は、Ｔ３８ゲートウェイ装置ＧＷ１へ発呼し、ユーザから指定された宛先電話番号をプッシュボタン信号ＰＢにより送出する。Ｔ３８ゲートウェイ装置ＧＷ１は、着呼検出すると、着呼応答し、次いで、グループ３ファクシミリ装置ＦＸ１よりプッシュボタン信号ＰＢによる宛先電話番号を受信する。
【００３８】
次に、グループ３ファクシミリ装置ＦＸ１は、呼接続を要求するために勧告Ｔ．３０手順のトーン信号ＣＮＧをＴ３８ゲートウェイ装置ＧＷ１へ送出する。これにより、Ｔ３８ゲートウェイ装置ＧＷ１は、Ｔ３８ゲートウェイ装置ＧＷ２に対しＳＥＴＵＰパケットを送信して、接続要求するとともに、宛先電話番号を通知する。それにより、Ｔ３８ゲートウェイ装置ＧＷ２は、指定されたグループ３ファクシミリ装置ＦＸ２へ発呼し、所定のトーン信号ＣＮＧを送出して呼接続を要求する一方、ＣＯＮＮＥＣＴパケットをＴ３８ゲートウェイ装置ＧＷ１へ送信して、呼接続を確認する。
【００３９】
Ｔ３８ゲートウェイ装置ＧＷ２から発呼され、呼接続が要求されたグループ３ファクシミリ装置ＦＸ２は、着信応答して、所定のトーン信号ＣＥＤ（被呼局識別信号）を送出し、Ｔ３８ゲートウェイ装置ＧＷ２は、このトーン信号ＣＥＤを検出すると、信号ＣＥＤを検出した旨をあらわす信号（Ｔ３０ＩＮＤ：ＣＥＤ）をＴ３８ゲートウェイ装置ＧＷ１へ送信し、それにより、Ｔ３８ゲートウェイ装置ＧＷ１は、トーン信号ＣＥＤをグループ３ファクシミリ装置ＦＸ１へ送出する。
【００４０】
次いで、グループ３ファクシミリ装置ＦＸ２は、フラグ（Ｆｌａｇｓ）信号に続き、グループ３ファクシミリ伝送手順信号であり、自端末のオプション的な伝送機能を通知するための信号ＮＳＦ、自端末の識別信号を通知するための信号ＣＳＩ、および、自端末の標準的な伝送機能を通知するための信号ＤＩＳを順次送出する。Ｔ３８ゲートウェイ装置ＧＷ２は、フラグ信号を検出すると、信号（Ｔ３０ＩＮＤ：Ｆｌａｇｓ）をＴ３８ゲートウェイ装置ＧＷ１へ送信するとともに、信号ＮＳＦ，ＣＳＩ，ＤＩＳを順次検出すると、信号ＮＳＦ，ＣＳＩ，ＤＩＳをあらわす信号（Ｖ２１ＨＤＬＣ：ＮＳＦ／ＣＳＩ／ＤＩＳ）を、Ｔ３８ゲートウェイ装置ＧＷ１へと順次送信する。
【００４１】
それにより、Ｔ３８ゲートウェイ装置ＧＷ１は、フラグ信号を受信した時点でグループ３ファクシミリ装置ＦＸ１へフラグ信号の送出を開始し、信号（Ｖ２１ＨＤＬＣ：ＮＳＦ／ＣＳＩ／ＤＩＳ）を受信すると、それぞれ対応する信号ＮＳＦ，ＣＳＩ，ＤＩＳをグループ３ファクシミリ装置ＦＸ１へと送信する。
【００４２】
これによって、グループ３ファクシミリ装置ＦＸ１は、グループ３ファクシミリ装置ＦＸ２の識別信号および伝送機能を知るので、その通知された伝送機能に基づき、そのときに使用する伝送機能およびモデム速度などを設定する。次いで、グループ３ファクシミリ装置ＦＸ１は、フラグ信号に続き、グループ３ファクシミリ伝送手順信号であり、自端末の識別信号を通知するための信号ＴＳＩ、および、使用する伝送機能を通知するための信号ＤＣＳを順次送出し、さらに、通知したモデム速度でモデムトレーニングを行うための信号ＴＣＦを送出する。
【００４３】
それにより、Ｔ３８ゲートウェイ装置ＧＷ１は、フラグ信号を検出すると、信号（Ｔ３０ＩＮＤ：Ｆｌａｇｓ）をＴ３８ゲートウェイ装置ＧＷ２へ送信するとともに、信号ＴＳＩ，ＤＣＳ，ＴＣＦを順次検出すると、それらの信号ＴＳＩ，ＤＣＳをあらわす信号（Ｖ２１ＨＤＬＣ：ＴＳＩ／ＤＣＳ）をＴ３８ゲートウェイ装置ＧＷ２へ送信する。
【００４４】
それにより、Ｔ３８ゲートウェイ装置ＧＷ２は、フラグ信号を受信した時点でグループ３ファクシミリ装置ＦＸ２へのフラグ信号の送出を開始し、信号（Ｖ２１ＨＤＬＣ：ＴＳＩ／ＤＣＳ）を受信すると、それぞれ対応する信号ＴＳＩ，ＤＣＳ、および、信号ＴＣＦをグループ３ファクシミリ装置ＦＸ２へと送信する。
【００４５】
グループ３ファクシミリ装置ＦＸ２は、信号ＴＳＩを受信すると、相手端末（グループ３ファクシミリ装置ＦＸ１）の識別情報を取得し、信号ＤＣＳを受信すると使用する伝送機能を取得し、それによって、モデム速度を設定し、信号ＴＣＦを受信する。
【００４６】
そして、グループ３ファクシミリ装置ＦＸ２は、信号ＴＣＦの受信結果が良好な場合には、フラグ信号に続き、グループ３ファクシミリ伝送手順信号であり、受信準備が完了した旨を通知するための信号ＣＦＲを送出する。Ｔ３８ゲートウェイ装置ＧＷ２は、フラグ信号を検出すると、信号（Ｔ３０ＩＮＤ：Ｆｌａｇｓ）をＴ３８ゲートウェイ装置ＧＷ１へ送信するとともに、信号ＣＦＲを検出すると、信号ＣＦＲをあらわす信号（Ｖ２１ＨＤＬＣ：ＣＦＲ）をＴ３８ゲートウェイ装置ＧＷ１へ送信する。
【００４７】
それにより、Ｔ３８ゲートウェイ装置ＧＷ１は、フラグ信号を受信した時点でグループ３ファクシミリ装置ＦＸ１へフラグ信号の送出を開始し、信号（Ｖ２１ＨＤＬＣ：ＣＦＲ）を受信すると、対応する信号ＣＦＲをグループ３ファクシミリ装置ＦＸ１へと送信する。
【００４８】
このようにして、画情報の送信準備が整うと、グループ３ファクシミリ装置ＦＸ１は、モデムのリトレーニングのためのトレーニング（Ｔｒａｉｎｉｎｇ）信号を送出した後に、画情報を送出し、画情報の送出を終了すると、フラグ信号に続いて、画情報送信が終了した旨を通知する信号ＥＯＰを送出する。
【００４９】
また、Ｔ３８ゲートウェイ装置ＧＷ１は、グループ３ファクシミリ装置ＦＸ１よりトレーニング信号を検出すると、信号（Ｔ３０ＩＮＤ：Ｓｐｅｅｄ）をＴ３８ゲートウェイ装置ＧＷ２へ送信し、続いて、グループ３ファクシミリ装置ＦＸ１より受信した画情報を複数に分割し、それぞれの分割された画情報をパケットデータとして、Ｔ３８ゲートウェイ装置ＧＷ２へ送信する。そして、グループ３ファクシミリ装置ＦＸ１よりフラグ信号を検出すると、信号（Ｔ３０ＩＮＤ：Ｆｌａｇｓ）をＴ３８ゲートウェイ装置ＧＷ２へ送信するとともに、信号ＥＯＰを検出すると、信号ＥＯＰをあらわす信号（Ｖ２１ＨＤＬＣ：ＥＯＰ）をＴ３８ゲートウェイ装置ＧＷ２へ送信する。
【００５０】
一方、Ｔ３８ゲートウェイ装置ＧＷ２は、信号（Ｔ３０ＩＮＤ：Ｓｐｅｅｄ）を受信すると、対応するトレーニング信号をグループ３ファクシミリ装置ＦＸ２へ送信し、画情報を運ぶパケットを受信すると、それに含まれている分割画情報を順次取り出し、連結した画情報を作成し、その画情報を、グループ３ファクシミリ装置ＦＸ２へ送信する。また、画報の送信を終了した後に、グループ３ファクシミリ装置ＦＸ２へのフラグ信号の送出を開始し、このときには、信号（Ｖ２１ＨＤＬＣ：ＥＯＰ）を受信するので、対応する信号ＥＯＰをグループ３ファクシミリ装置ＦＸ２へと送信する。
【００５１】
また、グループ３ファクシミリ装置ＦＸ２は、Ｔ３８ゲートウェイ装置ＧＷ２より受信したトレーニング信号でモデムのリトレーニングを行った後、画情報を受信し、次いで、フラグ信号に続いて信号ＥＯＰを受信すると、画情報の受信が終了したことを認識する。そして、グループ３ファクシミリ装置ＦＸ２は、そのときの画情報の受信結果が良好な場合には、フラグ信号に続いて、その旨を通知する信号ＭＣＦをＴ３８ゲートウェイ装置ＧＷ２に送信する。
【００５２】
Ｔ３８ゲートウェイ装置ＧＷ２は、フラグ信号を検出すると、信号（Ｔ３０ＩＮＤ：Ｆｌａｇｓ）をＴ３８ゲートウェイ装置ＧＷ１へ送信するとともに、信号ＭＣＦを検出すると、信号ＭＣＦをあらわす信号（Ｖ２１ＨＤＬＣ：ＭＣＦ）をＴ３８ゲートウェイ装置ＧＷ１へ送信する。
【００５３】
それにより、Ｔ３８ゲートウェイ装置ＧＷ１は、フラグ信号を受信した時点でグループ３ファクシミリ装置ＦＸ１へフラグ信号の送出を開始し、信号（Ｖ２１ＨＤＬＣ：ＭＣＦ）を受信すると、対応する信号ＭＣＦをグループ３ファクシミリ装置ＦＸ１へと送信する。
【００５４】
それにより、グループ３ファクシミリ装置ＦＸ１は、グループ３ファクシミリ装置ＦＸ２で画情報を正常に受信されたことを認識する。この後は、グループ３ファクシミリ装置ＦＸ１は、フラグ信号に続き、回線復旧を指令するための信号ＤＣＮをＴ３８ゲートウェイ装置ＧＷ１へ送出した後に、回線を復旧する。
【００５５】
それにより、上述と同様の手順により、信号（Ｔ３０ＩＮＤ：Ｆｌａｇｓ）、信号（Ｖ２１ＨＤＬＣ：ＤＣＮ）がＴ３８ゲートウェイ装置ＧＷ１からＴ３８ゲートウェイ装置ＧＷ２へと送信される。そして、Ｔ３８ゲートウェイ装置ＧＷ１からは、フラグ信号および信号ＤＣＮがグループ３ファクシミリ装置ＦＸ２へと順次送信され、グループ３ファクシミリ装置ＦＸ２は、信号ＤＣＮを受信すると、回線を復旧する。
【００５６】
また、Ｔ３８ゲートウェイ装置ＧＷ１は、通信パスを切断する旨を要求する切断要求パケットをＴ３８ゲートウェイ装置ＧＷ２へ送出し、Ｔ３８ゲートウェイ装置ＧＷ２は、切断要求パケットを受信すると、通信パスの切断を確認した旨をあらわす切断確認パケットをＴ３８ゲートウェイ装置ＧＷ１へ送出して、一連の通信動作を終了する。
【００５７】
これにより、グループ３ファクシミリ装置ＦＸ１とＴ３８ゲートウェイ装置ＧＷ１との間の回線、および、グループ３ファクシミリ装置ＦＸ２とＴ３８ゲートウェイ装置ＧＷ２との間の回線が復旧され、グループ３ファクシミリ装置ＦＸ１とグループ３ファクシミリ装置ＦＸ２の間に形成されていたリアルタイム的な通信パスが切断される。
【００５８】
このようにして、グループ３ファクシミリ装置ＦＸ１とグループ３ファクシミリ装置ＦＸ２との間のファクシミリ伝送手順が、Ｔ３８ゲートウェイ装置ＧＷ１およびＴ３８ゲートウェイ装置ＧＷ２のリアルタイム伝送手順により、リアルタイム的に実行されて、グループ３ファクシミリ装置ＦＸ１からグループ３ファクシミリ装置ＦＸ２への画情報の送信がなされる。
【００５９】
ここで、図３における信号（Ｔ３０ＩＮＤ：「信号名」）は、ＩＴＵ−Ｔ勧告Ｔ．３０に従ったトーナル信号の検出を通知するための信号であり、信号（Ｖ２１ＨＤＬＣ：「信号名」）は、ＩＴＵ−Ｔ勧告Ｔ．３０に従ったバイナリ信号を運ぶための信号である。また、「Ｖ．２１」、ＩＴＵ−Ｔ勧告Ｖ．２１モデムにより運ばれる信号であることをあらわし、「ＨＤＬＣ」は、ＨＤＬＣフレーム化されている信号であることをあらわす。
【００６０】
そして、このような信号をやりとりすることで、Ｔ３８ゲートウェイ装置ＧＷ１とＴ３８ゲートウェイ装置ＧＷ２との間で、リアルタイム伝送手順が実現される。
【００６１】
ここで、Ｔ３８ゲートウェイ装置ＧＷ１がＴ３８ゲートウェイ装置ＧＷ２に対して、接続要求する際に送出するＳＥＴＵＰパケット、および、Ｔ３８ゲートウェイ装置ＧＷ２がＴ３８ゲートウェイ装置ＧＷ１に対して、接続確認のために送出するＣＯＮＮＥＣＴパケットは、ＴＴＣ標準ＪＴ−Ｈ２２５．０に規定されている信号であり、それらのパケットに含まれる情報要素の１つとして、製造メーカーをあらわすマニュファクチャーコードと、製品名（製品番号）をあらわすプロダクトコードが含まれている。
【００６２】
さて、上述した伝送手順において、非標準モードをネゴシェーションするためのオプション信号は、メーカー独自の内容を持つため、Ｔ３８ゲートウェイ装置ＧＷ１，ＧＷ２とグループ３ファクシミリ装置ＦＸ１，ＦＸ２のメーカーが相違する場合には、Ｔ３８ゲートウェイ装置ＧＷ１，ＧＷ２は、グループ３ファクシミリ装置ＦＸ１，ＦＸ２がやりとりするオプション信号の内容を適切に解釈することができない（前述）。
【００６３】
一方、オプション信号には、当該オプション信号を送信した端末のメーカーをあらわすメーカーコードが含まれており、当該メーカーコードは、全ての端末から読取可能であり、この場合、Ｔ３８ゲートウェイ装置ＧＷ１，ＧＷ２も、オプション信号のメーカーコードを解釈することができる。
【００６４】
そこで、本実施例では、Ｔ３８ゲートウェイ装置ＧＷ１，ＧＷ２は、オプション信号を受信すると、当該オプション信号のメーカーコードを解釈し、その内容が、自端末がオプション信号を解釈可能であると登録されているメーカーコードと一致する場合には、受信したオプション信号を透過する一方、受信したオプション信号のメーカーコードの内容が、自端末がオプション信号を解釈可能であると登録されているメーカーコードと一致しない場合には、受信したオプション信号を廃棄する。
【００６５】
このようにすることで、グループ３ファクシミリ装置ＦＸ１，ＦＸ２とＴ３８ゲートウェイ装置ＧＷ１，ＧＷ２のメーカーが相違する場合などでは、Ｔ３８ゲートウェイ装置ＧＷ１，ＧＷ２が解釈できないオプション信号が廃棄されるので、その通信では、標準的な通信機能が適用されるので、適切な画情報通信が可能となる。
【００６６】
すなわち、例えば、グループ３ファクシミリ装置ＦＸ１，ＦＸ２とＴ３８ゲートウェイ装置ＧＷ１，ＧＷ２のメーカーが相違し、かつ、グループ３ファクシミリ装置ＦＸ１とグループ３ファクシミリ装置ＦＸ２のメーカーが一致する場合、着呼側のグループ３ファクシミリ装置ＦＸ２が発呼側のグループ３ファクシミリ装置ＦＸ１へ送信したオプション信号ＮＳＦが、Ｔ３８ゲートウェイ装置ＧＷ１，ＧＷ２で透過されて、発呼側のグループ３ファクシミリ装置ＦＸ１へ到達した場合、グループ３ファクシミリ装置ＦＸ１は、オプション信号ＮＳＦを有効なものとして処理し、非標準モードの通信機能を設定し、その設定した非標準モードの通信機能をオプション信号ＮＳＳを用いて受信側へ通知する。
【００６７】
そして、このオプション信号ＮＳＳもＴ３８ゲートウェイ装置ＧＷ１，ＧＷ２で透過されて、着呼側のグループ３ファクシミリ装置ＦＸ２へ到達し、当該オプション信号ＮＳＳは、グループ３ファクシミリ装置ＦＸ２で適切に処理されるので、それ以降、グループ３ファクシミリ装置ＦＸ１，ＦＸ２は、非標準モードの通信動作を行おうとする。
【００６８】
ところが、Ｔ３８ゲートウェイ装置ＧＷ２は、オプション信号ＮＳＳの内容（情報フィールドの値）を解釈することができないため、Ｔ３８ゲートウェイ装置ＧＷ１より受信した画情報信号をいかなる伝送速度でグループ３ファクシミリ装置ＦＸ２へ送信（転送）すればよいのか判断することができず、したがって、画情報の送受信の段階（フェーズＣ）で、このときの通信が失敗する。
【００６９】
そこで、Ｔ３８ゲートウェイ装置ＧＷ２がグループ３ファクシミリ装置ＦＸ２よりオプション信号ＮＳＦを受信して、その受信したオプション信号ＮＳＦのメーカーコードが、自端末に登録されている値と異なることを検出した場合、その受信したオプション信号ＮＳＦを廃棄して、Ｔ３８ゲートウェイ装置ＧＷ１へ送り出さないようにすれば、それ以降、グループ３ファクシミリ装置ＦＸ１とグループ３ファクシミリ装置ＦＸ２の間で、グループ３ファクシミリ伝送手順上、オプション信号のやりとりが行われることがなく、すなわち、それ以降は、オプション信号のやりとりがないため、Ｔ３８ゲートウェイ装置ＧＷ１，ＧＷ２は、全てのＴ３０ファクシミリ信号の解釈を行うことができ、その結果、グループ３ファクシミリ装置ＦＸ１とグループ３ファクシミリ装置ＦＸ２の間で適切に画情報通信を行うことができる。
【００７０】
したがって、本実施例では、上述したようなオプション信号を透過させるメーカーコードを、Ｔ３８ゲートウェイ装置ＧＷ１，ＧＷ２にあらかじめ登録しておく。また、この登録するメーカーコードは、オプション信号を解釈可能なメーカーのものを全て登録することができる。
【００７１】
図４は、Ｔ３８ゲートウェイ装置ＧＷ１，ＧＷ２の通信処理の一例を示している。
【００７２】
まず、相手のＴ３８ゲートウェイ装置との間で所定の呼接続処理を行い（処理１０１）、発呼側のグループ３ファクシミリ装置、発呼側のＴ３８ゲートウェイ装置、着呼側のＴ３８ゲートウェイ装置、および、着呼側のグループ３ファクシミリ装置の間で通信パスを確立する。
【００７３】
その状態で、ＩＰ網よりＴ３８パケットを受信するか、アナログ公衆網よりＴ３０ファクシミリ信号を受信するか監視する（判断１０２，１０３のＮＯループ）。
【００７４】
ＩＰ網よりＴ３８パケットを受信した場合で、判断１０２の結果がＹＥＳになるときには、その受信したＴ３８パケットの内容がオプション信号ＮＳＦまたはオプション信号ＮＳＣであったかどうかを調べ（判断１０４）、判断１０４の結果がＹＥＳになるときには、当該受信Ｔ３８パケットを廃棄して、判断１０２へ戻り、次の信号の受信に備える。
【００７５】
また、受信したＴ３８パケットがオプション信号ＮＳＦでもオプション信号ＮＳＣでもない場合で、判断１０４の結果がＮＯになるときには、受信したＴ３８パケットを対応するＴ３０ファクシミリ信号へ変換して、そのときの発呼側または着呼側のグループ３ファクシミリ装置へ送信する（処理１０５）。
【００７６】
ここで、通信が終了したかどうかを調べ（判断１０６）、判断１０６の結果がＮＯになるときには、判断１０２へ戻り、次の信号の受信に備える。また、判断１０６の結果がＹＥＳになるときには、所定の呼終了処理を行い（処理１０７）、確立した通信パスを切断・終了して、このときの通信動作を終了する。
【００７７】
また、アナログ公衆網よりＴ３０ファクシミリ信号を受信した場合で、判断１０３の結果がＹＥＳになるときには、その受信したＴ３０ファクシミリ信号の内容がオプション信号ＮＳＦまたはオプション信号ＮＳＣであったかどうかを調べ（判断１０８）、判断１０８の結果がＹＥＳになるときには、当該受信Ｔ３０ファクシミリ信号を廃棄して、判断１０２へ戻り、次の信号の受信に備える。
【００７８】
また、受信したＴ３０ファクシミリ信号がオプション信号ＮＳＦでもオプション信号ＮＳＣでもない場合で、判断１０８の結果がＮＯになるときには、受信したＴ３０ファクシミリ信号を対応するＴ３８パケットへ変換して、そのときの発呼側または着呼側のＴ３８ゲートウェイ装置（または、Ｔ３８端末装置（後述））へ送信する（処理１０９）。
【００７９】
ここで、通信が終了したかどうかを調べ（判断１１０）、判断１１０の結果がＮＯになるときには、判断１０２へ戻り、次の信号の受信に備える。また、判断１１０の結果がＹＥＳになるときには、処理１０７へ進んで所定の呼終了処理を行い、確立した通信パスを切断・終了して、このときの通信動作を終了する。
【００８０】
なお、図４に示した処理では、メーカーコードにかかわらず、オプション信号を透過させないようにしているので、上述した場合と同様の効果を得る。
【００８１】
図５は、Ｔ３８ゲートウェイ装置ＧＷ１，ＧＷ２の通信処理の他の例を示している。
【００８２】
まず、相手のＴ３８ゲートウェイ装置との間で所定の呼接続処理を行い（処理２０１）、発呼側のグループ３ファクシミリ装置、発呼側のＴ３８ゲートウェイ装置、着呼側のＴ３８ゲートウェイ装置、および、着呼側のグループ３ファクシミリ装置の間で通信パスを確立する。
【００８３】
その状態で、ＩＰ網よりＴ３８パケットを受信するか、アナログ公衆網よりＴ３０ファクシミリ信号を受信するか監視する（判断２０２，２０３のＮＯループ）。
【００８４】
ＩＰ網よりＴ３８パケットを受信した場合で、判断２０２の結果がＹＥＳになるときには、その受信したＴ３８パケットの内容がオプション信号ＮＳＦまたはオプション信号ＮＳＣであったかどうかを調べ（判断２０４）、判断２０４の結果がＹＥＳになるときには、そのオプション信号ＮＳＦ／ＮＳＣのメーカーコードが登録されているものに一致するかどうかを検査して（処理２０５）、当該信号を透過できるかどうかを調べる（判断２０６）。判断２０６の結果がＮＯになるときには、当該受信Ｔ３８パケットを廃棄して、判断２０２へ戻り、次の信号の受信に備える。
【００８５】
また、受信したＴ３８パケットがオプション信号ＮＳＦでもオプション信号ＮＳＣでもない場合で、判断２０４の結果がＮＯになるとき、および、受信したオプション信号ＮＳＦ／ＮＳＣのメーカーコードが登録されている値であり、判断２０６の結果がＹＥＳになるときには、受信したＴ３８パケットを対応するＴ３０ファクシミリ信号へ変換して、そのときの発呼側または着呼側のグループ３ファクシミリ装置へ送信する（処理２０７）。
【００８６】
ここで、通信が終了したかどうかを調べ（判断２０８）、判断２０８の結果がＮＯになるときには、判断２０２へ戻り、次の信号の受信に備える。また、判断２０８の結果がＹＥＳになるときには、所定の呼終了処理を行い（処理２０９）、確立した通信パスを切断・終了して、このときの通信動作を終了する。
【００８７】
また、アナログ公衆網よりＴ３０ファクシミリ信号を受信した場合で、判断２０３の結果がＹＥＳになるときには、その受信したＴ３０ファクシミリ信号の内容がオプション信号ＮＳＦまたはオプション信号ＮＳＣであったかどうかを調べ（判断２１０）、判断２１０の結果がＹＥＳになるときには、そのオプション信号ＮＳＦ／ＮＳＣのメーカーコードが登録されているものに一致するかどうかを検査して（処理２１１）、当該信号を透過できるかどうかを調べる（判断２１２）。判断２１２の結果がＮＯになるときには、当該受信Ｔ３０ファクシミリ信号を廃棄して、判断２０２へ戻り、次の信号の受信に備える。
【００８８】
また、受信したＴ３０ファクシミリ信号がオプション信号ＮＳＦでもオプション信号ＮＳＣでもない場合で、判断２１０の結果がＮＯになるとき、および、受信したオプション信号ＮＳＦ／ＮＳＣのメーカーコードが登録されている値であり、判断２１２の結果がＹＥＳになるときには、受信したＴ３０ファクシミリ信号を対応するＴ３８パケットへ変換して、そのときの発呼側または着呼側のＴ３８ゲートウェイ装置（または、Ｔ３８端末装置）へ送信する（処理２１３）。
【００８９】
ここで、通信が終了したかどうかを調べ（判断２１４）、判断２１４の結果がＮＯになるときには、判断２０２へ戻り、次の信号の受信に備える。また、判断２１４の結果がＹＥＳになるときには、処理２０９へ進み、所定の呼終了処理を行い、確立した通信パスを切断・終了して、このときの通信動作を終了する。
【００９０】
なお、Ｔ３８端末装置とは、ファクシミリ装置機能および勧告Ｔ．３８に準拠した通信機能を備えた端末装置を指すが、Ｔ３８ゲートウェイ装置も含むものである。
【００９１】
図６は、本発明の他の実施例にかかる通信システムを示している。
【００９２】
このファクシミリ通信システムは、ＩＰ網ＮＴに接続され、ＩＴＵ−Ｔ勧告Ｔ．３８に準拠したゲートウェイ機能を備えたＴ３８端末装置ＩＦＸ、アナログ公衆網ＰＳＴＮに接続されたグループ３ファクシミリ装置ＦＸ、アナログ公衆網ＰＳＴＮ２およびＩＰ網ＮＴに接続され、ＩＴＵ−Ｔ勧告Ｔ．３８に準拠したゲートウェイ機能を備えたＴ３８ゲートウェイ装置ＧＷから構成されている。
【００９３】
ここで、グループ３ファクシミリ装置ＦＸとＴ３８ゲートウェイ装置ＧＷが同一地域内に設置され、また、Ｔ３８端末装置ＩＦＸの設置地域とは、相互に遠隔地域である。
【００９４】
したがって、この場合、グループ３ファクシミリ装置ＦＸについては、Ｔ３８ゲートウェイ装置ＧＷが勧告Ｔ．３８に準拠したリアルタイム型インターネットファクシミリ通信サービスを提供する。
【００９５】
図７は、Ｔ３８端末装置ＩＦＸの構成例を示している。
【００９６】
同図において、システム制御部２１は、このＴ３８端末装置ＩＦＸの各部の制御処理、および、リアルタイム伝送制御手順（ＩＴＵ−Ｔ勧告Ｔ．３８手順）処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このＴ３８端末装置ＩＦＸに固有な各種の情報を記憶するためのものであり、時計回路２４は、現在時刻情報を出力するものである。
【００９７】
スキャナ２５は、所定の解像度で原稿画像を読み取るためのものであり、プロッタ２６は、所定の解像度で画像を記録出力するためのものであり、操作表示部２７は、このファクシミリ装置を操作するためのもので、各種の操作キー、および、各種の表示器からなる。
【００９８】
符号化復号化部２８は、画信号を符号化圧縮するとともに、符号化圧縮されている画情報を元の画信号に復号化するためのものであり、画像蓄積装置２９は、符号化圧縮された状態の画情報を多数記憶するためのものである。
【００９９】
ＩＰ網インターフェース回路３２は、このＴ３８端末装置ＩＦＸをＩＰ網ＮＴへ接続し、ＩＰ網ＮＴを介して種々のデータをやりとりするためのものであり、ＴＣＰ／ＩＰパケット解析部３３は、ＴＣＰモード時に、ＩＰ網インターフェース回路３２が受信したＴＣＰ／ＩＰパケットを解析して受信情報を取り出すためのものであり、ＵＤＰパケット解析部３４は、ＵＤＰモード時に、ＩＰ網インターフェース回路３２が受信したＵＤＰパケットを解析して受信情報を取り出すためのものである。
【０１００】
グループ３プロトコル情報生成部３５は、リアルタイム伝送手順において、ＴＣＰモード時はＴＣＰ／ＩＰパケット解析部３３から出力される受信情報を対応するグループ３伝送手順信号情報に変換するとともに、ＵＤＰモード時はＵＤＰパケット解析部３４から出力される受信情報を対応するグループ３伝送手順信号情報に変換するものである。
【０１０１】
グループ３プロトコル情報取出部３６は、リアルタイム伝送手順において、送信するグループ３ファクシミリ伝送手順情報を取り出すためのものであり、ＴＣＰ／ＩＰパケット変換部３７は、ＴＣＰモード時、グループ３プロトコル情報取出部３６から出力されるグループ３ファクシミリ伝送手順情報をＴＣＰ／ＩＰパケットデータへ変換するためのものであり、その出力データは、ＩＰ網インターフェース回路３２へ加えられる。
【０１０２】
また、ＵＤＰパケット変換部３８は、ＵＤＰモード時、グループ３プロトコル情報取出部３６から出力されるグループ３ファクシミリ伝送手順情報をＵＤＰパケットデータへ変換するためのものであり、その出力データは、ＩＰ網インターフェース回路３２へ加えられる。
【０１０３】
これらの、システム制御部２１、システムメモリ２２、パラメータメモリ２３、時計回路２４、スキャナ２５、プロッタ２６、操作表示部２７、符号化復号化部２８、画像蓄積装置２９、グループ３プロトコル情報生成部３５、および、グループ３プロトコル情報取出部３６は、内部バス３９に接続されており、これらの各要素間でのデータのやりとりは、主としてこの内部バス３９を介して行われている。
【０１０４】
図８は、Ｔ３８端末装置ＩＦＸがグループ３ファクシミリ装置ＦＸへ発呼して、画情報を送信する場合の手順の一例を示しており、図９は、グループ３ファクシミリ装置ＦＸがＴ３８端末装置ＩＦＸへ発呼して、画情報を送信する場合の手順の一例を示している。なお、これらの伝送手順の詳細については、図３と同様なので、その説明を省略する。
【０１０５】
さて、本実施例では、Ｔ３８端末装置ＩＦＸは、Ｔ３８ゲートウェイ装置ＧＷとの間で通信動作のはじめの呼接続処理時にやりとりするＳＥＴＵＰパケットおよびＣＯＮＮＥＣＴパケットに含まれるマニュファクチャーコードおよびプロダクトコードを参照して、相手端末との間でグループ３ファクシミリ伝送手順におけるオプション信号をやりとりすることができるかどうかを調べる。
【０１０６】
したがって、Ｔ３８端末装置ＩＦＸには、オプション信号を透過可能なＴ３８ゲートウェイ装置ＧＷのマニュファクチャーコードおよびプロダクトコードがあらかじめ１つ以上登録されている。
【０１０７】
そして、Ｔ３８ゲートウェイ装置ＧＷから受信したＳＥＴＵＰパケットまたはＣＯＮＮＥＣＴパケットのマニュファクチャーコードおよびプロダクトコードが、登録されている値であるかどうかを調べ、登録されている場合には、オプション信号を透過するモードをセットし、登録されていない場合には、オプション信号を非透過にするモードをセットする。
【０１０８】
その後、伝送前手順を行う際、オプション信号を透過するモードがセットされている場合には、オプション信号のやりとりを含む伝送前手順処理を行い、また、オプション信号を非透過にするモードがセットされている場合には、オプション信号のやりとりを行わない伝送前手順処理を行う。
【０１０９】
このようにすることで、オプション信号を使用した非標準モードの通信動作を適切に行うことができるようになる。
【０１１０】
図１０は、Ｔ３８端末装置ＩＦＸの発呼時の処理の一例を示している。
【０１１１】
ユーザがスキャナ２５に送信原稿をセットし（処理４０１）、相手先のファクシミリ番号を入力し（処理４０２）、操作表示部２７のスタートキーを押下して送信開始を指令すると（処理４０３）、スキャナ２５にセットされている送信原稿の画像を読み取り、それによって得た画像データを符号化復号化部２８で符号化圧縮し、それによって得た画情報を画像蓄積装置２９に蓄積する（処理４０４）。
【０１１２】
次いで、対地側のＴ３８ゲートウェイ装置ＧＷとの間で所定の呼接続手順を行って、宛先のグループ３ファクシミリ装置ＦＸとの間に通信パスを確立する（処理４０５）。
【０１１３】
ここで、Ｔ３８ゲートウェイ装置ＧＷより受信したＣＯＮＮＥＣＴパケットのマニュファクチャーコードおよびプロダクトコードが登録されている値に一致するかどうかを調べ（処理４０６）、登録されている場合には（判断４０７の結果がＹＥＳ）、非標準フラグをセットして、オプション信号を透過するモードを設定し（処理４０８）、登録されていない場合には（判断４０７の結果がＮＯ）、非標準フラグをクリアして、オプション信号を非透過するモードを設定する（処理４０９）。
【０１１４】
次いで、発呼時の伝送前手順処理を行う（処理４１０）。この処理４１０では、非標準フラグの値を参照し、セットされている場合には、オプション信号を用いて通信機能等を設定する動作を行い、セットされていない場合には、オプション信号を用いないで通信機能等を設定する動作を行う。
【０１１５】
次いで、画像蓄積装置２９に蓄積した画情報の１ページ分を相手端末へ送信し（処理４１１）、１ページ分の送信が終了すると、次の送信ページがあるかどうかを調べる（判断４１２）。
【０１１６】
判断４１２の結果がＹＥＳになるときには、メッセージ後信号として信号ＭＳＰを送出し（処理４１３）、応答信号を受信し（処理４１４）、処理４１１へ戻って、残りのページの画情報の送信を行う。
【０１１７】
また、判断４１２の結果がＮＯになるときには、メッセージ後信号として信号ＥＯＰを送出し（処理４１５）、応答信号を受信し（処理４１６）、信号ＤＣＮを送出し（処理４１７）、所定の呼終了処理を行い（処理４１８）、確立した通信パスを切断・終了して、このときの通信動作を終了する。
【０１１８】
図１１は、Ｔ３８端末装置ＩＦＸの着呼時の処理の一例を示している。
【０１１９】
着信検出すると（処理５０１）、対地側のＴ３８ゲートウェイ装置ＧＷとの間で所定の呼接続手順を行って、宛先のグループ３ファクシミリ装置ＦＸとの間に通信パスを確立する（処理５０２）。
【０１２０】
ここで、Ｔ３８ゲートウェイ装置ＧＷより受信したＳＥＴＵＰパケットのマニュファクチャーコードおよびプロダクトコードが登録されている値に一致するかどうかを調べ（処理５０３）、登録されている場合には（判断５０４の結果がＹＥＳ）、非標準フラグをセットして、オプション信号を透過するモードを設定し（処理５０５）、登録されていない場合には（判断５０４の結果がＮＯ）、非標準フラグをクリアして、オプション信号を非透過するモードを設定する（処理５０６）。
【０１２１】
次いで、着呼時の伝送前手順処理を行う（処理５０７）。この処理５０７では、非標準フラグの値を参照し、セットされている場合には、オプション信号を用いて通信機能等を設定する動作を行い、セットされていない場合には、オプション信号を用いないで通信機能等を設定する動作を行う。
【０１２２】
次いで、相手端末より画情報を１ページ分受信して、受信した画情報を画像蓄積装置２９に蓄積し（処理５０８）、１ページ分の受信が終了すると、そのときの受信結果を応答する（処理５０９）。
【０１２３】
ここで、受信したメッセージ後信号の内容から、次の送信ページがあるかどうかを調べる（判断５１０）。判断５１０の結果がＹＥＳになるときには、処理５０８へ戻り、次のページの画情報を受信する。
【０１２４】
また、判断５１０の結果がＮＯになるときには、相手端末より信号ＤＣＮを受信し（処理５１１）、所定の呼終了処理を行い（処理５１２）、確立した通信パスを切断・終了して、このときの通信動作を終了する。
【図面の簡単な説明】
【０１２５】
【図１】本発明の一実施例にかかるファクシミリ通信システムの一例を示したブロック図。
【図２】Ｔ３８ゲートウェイ装置ＧＷ（ＧＷ１，ＧＷ２）の構成例を示したブロック図。
【図３】勧告Ｔ．３８の通信手順（リアルタイム伝送手順）の一例を示したタイムチャート。
【図４】Ｔ３８ゲートウェイ装置ＧＷ１，ＧＷ２の通信処理の一例を示したフローチャート。
【図５】Ｔ３８ゲートウェイ装置ＧＷ１，ＧＷ２の通信処理の他の例を示したフローチャート。
【図６】本発明の他の実施例にかかる通信システムを示したブロック図。
【図７】Ｔ３８端末装置ＩＦＸの構成例を示したブロック図。
【図８】Ｔ３８端末装置ＩＦＸがグループ３ファクシミリ装置ＦＸへ発呼して、画情報を送信する場合の手順の一例を示したタイムチャート。
【図９】グループ３ファクシミリ装置ＦＸがＴ３８端末装置ＩＦＸへ発呼して、画情報を送信する場合の手順の一例を示したタイムチャート。
【図１０】Ｔ３８端末装置ＩＦＸの発呼時の処理の一例を示したフローチャート。
【図１１】Ｔ３８端末装置ＩＦＸの着呼時の処理の一例を示したフローチャート。
【符号の説明】
【０１２６】
ＦＸ，ＦＸ１，ＦＸ２  グループ３ファクシミリ装置
ＧＷ，ＧＷ１，ＧＷ２  Ｔ３８ゲートウェイ装置
ＩＦＸ  Ｔ３８端末装置
【図１】
2005094620.tif 000003
【図２】
2005094620.tif 000004
【図３】
2005094620.tif 000005
【図４】
2005094620.tif 000006
【図５】
2005094620.tif 000007
【図６】
2005094620.tif 000008
【図７】
2005094620.tif 000009
【図８】
2005094620.tif 000010
【図９】
2005094620.tif 000011
【図１０】
2005094620.tif 000012
【図１１】
2005094620.tif 000013